(57)【特許請求の範囲】
【請求項１】
パネルユニットを組み合わせて基礎床面上に方形に敷設されたパネルブロック間に配線用の溝を確保し、この溝を、溝蓋と溝蓋間の中央蓋とで覆った溝構法のフリーアクセスフロアにおいて、
パネルブロックは、平らな上面と側壁とを有し、側壁の上下中間位置に溝蓋に設けられた立壁を迎入して挟圧するＵ字溝からなる挟着部が形成され、コーナー部に中央蓋が挿入される開口部が形成されたものであり、
溝蓋は、水平壁と、これから垂下する立壁と、端部に中央蓋を載せる低段部とを有するものであり、
中央蓋は、溝蓋の低段部の上に載置されるものであり、回動操作によって円周上に形成された係止片がパネルブロックの開口部に入り込んでパネルブロックと溝蓋とを上下から挟圧して一体化する固定具を兼ねるものである、
ことを特徴とするフリーアクセスフロア。
【請求項２】
パネルブロックが単一のパネルユニットから構成される請求項１のフリーアクセスフロア。
【請求項３】
パネルブロックが複数のパネルユニットをその側壁に形成された係合突起同士を噛み合わせて構成される請求項１のフリーアクセスフロア。
【請求項４】
パネルブロックは、側壁の中央を内側、即ち、中央側に凹ませて凹部とした請求項１〜３いずれか１項のフリーアクセスフロア。
【請求項５】
固定具兼用中央蓋に、溝蓋の低段部に形成された撓み部と接触する突起を形成し、固定具兼用中央蓋の締付け回動に伴って突起が撓み部でロックされる請求項１〜４いずれか１項のフリーアクセスフロア。
【請求項６】
固定具兼用中央蓋に、中心部に別の固定具兼用中央蓋の外周が差し込める凹溝を形成した請求項１〜５いずれか１項のフリーアクセスフロア。
【発明の詳細な説明】
【０００１】
【発明の属する技術分野】
本発明は、フロアパネル間の間隙でなる縦横方向の配線溝を利用して配線する溝構法のフリーアクセスフロアに関するものである。
【０００２】
【従来の技術】
フリーアクセスフロアには、パネル構法と溝構法とがあり、通常の床構造をフリーアクセスフロア構造に変更するような場合は、パネル構法に比べて低い床で配線空間が得られる溝構法が多く採用される。このような溝構法のフロアは、三角形状のパネル構成片を間に配線溝となる空間を確保し、この空間を平板状の溝蓋で覆って方形パネルに集積したもの（実開平３−０２９６４１号）や、方形パネルの内部に一条又は複条の配線溝を形成し、配線溝に平板状の溝蓋をしたもの（実開昭５３−１９２５３７号）等がある。
【０００３】
【発明が解決しようとする課題】
前者は、パネル構成片の頂部裏面に形成された脚部を基礎床面の不陸に自重で沿う程度の可撓性を有する保持板で連結し、上部については取り外し易くするために長方形蓋の四隅に設けた部分的な接着部材で接着されただけであり、又、持ち運び等の取扱時に保持板が変形し易いため、パネル構成片相互の位置が定まらず、変形しない溝蓋は、部分的な接着部が容易に剥がれ、結果的に方形パネルとしての形状が維持できず、折れ曲がったりして取扱性が悪く、ガタツキ音が出やすい。又、このような軟弱で不充分な連結のため、地震等の振動でずれ易い。尚、平板状の溝蓋の一部を切り起こしてパネル構成片の一部に仮の位置決め程度の作用をなすように嵌合するものが考えられるが、上記課題を解決するには不充分である。
【０００４】
これに対して後者は、基礎床面の不陸に沿わすために配線溝底部の厚みを薄くして可撓性を持たせており、相互がブラブラして変形し易い。これに蓋をして多数敷設した状態においても、相互の連結がされず、ガタツキ音が発生したり、地震等の振動でずれ易い。
【０００５】
本発明は、このような課題を解決するものであり、基礎床面の不陸に沿い、且つ、相互が充分な強度で結合されてガタツキがなく、地震等の振動に強い、全体として安価に製作でき、施工が簡単で使い易い溝構法のフロアを提供するものである。
【０００６】
【課題を解決するための手段】
以上の課題の下、本発明は、請求項１に記載した、
パネルユニットを組み合わせて基礎床面上に方形に敷設されたパネルブロック間に配線用の溝を確保し、この溝を、溝蓋と溝蓋間の中央蓋とで覆った溝構法のフリーアクセスフロアにおいて、
パネルブロックは、平らな上面と側壁とを有し、側壁の上下中間位置に溝蓋に設けられた立壁を迎入して挟圧するＵ字溝からなる挟着部が形成され、コーナー部に中央蓋が挿入される開口部が形成されたものであり、
溝蓋は、水平壁と、これから垂下する立壁と、端部に中央蓋を載せる低段部とを有するものであり、
中央蓋は、溝蓋の低段部の上に載置されるものであり、回動操作によって円周上に形成された係止片がパネルブロックの開口部に入り込んでパネルブロックと溝蓋とを上下から挟圧して一体化する固定具を兼ねるものである、
ことを特徴とするフリーアクセスフロア、
を提供したものである。
【０００７】
【作用】
以上の手段をとることにより、溝蓋の立壁はパネルブロックの挟着部で挟圧保持されるから、ガタツキ音が発生しないし、地震等の振動があっても外れ難い。又、パネルブロックと溝蓋とは互に連結されて位置規制されるから、相互の位置がずれない。更に、両者の位置決めも果たされるから、墨出し等を行なってパネルブロックだけを先に敷設する必要はない（パネルブロックと溝蓋とを交互に敷設して行ける）。
【０００８】
【発明の実施の形態】
以下、本発明の一例を図面を参照して説明する。図１は本発明の一例を示すフリーアクセスフロアの敷設状態の一部断面図、図２はパネルブロックの斜視図、図３は正面図である。本発明のフリーアクセスフロアは、方形に敷設されたパネルブロック１０間に溝を確保し、溝を溝蓋１２で覆うもので、パネルブロック１０と溝蓋１２の上面が面一状態となるように設定したものである。ここで、方形に敷設されたパネルブロックとは、本例のように、方形をした一つのパネルユニットだけでパネルブロックを構成するものの他に、複数のものを集積して方形にしたようなもの、更には、三角形のものを二枚組み合わせて方形にしたようなものも含むからであり、一つのブロックとして敷設された状態が方形であればよいのである。尚、複数のパネルユニットを組み合わせる場合、何らかの形で連結する必要があるが、それには個々のものに連結構造を施してこれで直接的に連結するものと、適当なシート等に貼着して間接的に連結するものとがある。後者の場合、パネルユニット間に隙間を設けると、ここも配線溝とすることができ、斜めに配線するようなことも可能になる。
【０００９】
パネルブロック１０は、平らな上面１４とこれから垂下する側壁１６とを有し、側壁１６の上下中間位置には溝蓋１２の後述する立壁を迎入して挟圧するＵ字溝をした挟着部１８が形成される。尚、ここでの側壁１６の上下中間位置とは、パネルブロック１０の厚み内の任意の位置という意味である。パネルブロック１０の大きさは、基礎床面の不陸を吸収する範囲とし、１辺３００ミリ程度を越えない大きさが望ましい。但し、三角形のパネル片で構成するものは、３点支持となって不陸を吸収するから、これ以上であってもよい。一方、パネルブロック１０の厚み、即ち、溝の深さに相当する側壁１６の高さは、配線量や使用するテーブルタップ及びコンセント等の寸法を考慮して３０〜５０ミリ程度が好ましい。
【００１０】
挟着部１８は、側壁１６の途中を階段形に外方にせり出せさ、階段の端から起立壁２０を側壁１６に沿って上伸させて形成したＵ字溝をしたものである。Ｕ字溝の中には溝蓋１２の立壁が挿入されるのであり、このとき、立壁は底一杯まで挿入されるから、Ｕ字溝の底は立壁の載置床２２となる。挟着部１８の上下位置は、立壁の長さ分に対応させて載置床２２が上面１４から１０ミリからパネルブロック１０の厚みの半分程度下がった位置になるのが好ましい。これに伴って起立壁２０の高さは、溝蓋１２との干渉を避けるため、これよりも２〜３ミリ程度短いものとなる。この位置が下がりすぎると、配線が載置床２２に載る確率が増し、溝蓋１２を挟着部１８に置くときに配線を踏み付ける危険性が高くなるからである。一方、あまり上がりすぎると、結果的に溝蓋１２の立壁が短くなり、強度面や外れ防止の見地から好ましくない。尚、挟着部１８は側壁１６の全長に亘って形成される必要はなく、部分的であってもよい。又、載置床２２も全長に亘って形成される必要はなく、部分的であってもよい。
【００１１】
パネルブロック１０の側壁１６の下端には、樹脂材からなる緩衝部材２４を履かせることがある。この緩衝部材２４は、基礎床面の不陸によるガタツキ音の発生を防ぐためのものであり、パネルブロック１０のコーナー部に設けている。この緩衝部材２４は、必ずしも必要ではなく、基礎床面に敷く緩衝シートで代替させてもよい。又、パネルブロック１０の側壁１６には、折曲破断で除去可能な配線窓蓋２６を設けることもある。この配線窓蓋２６は、長孔５０と切込み５１で形成し、その外縁の一部を可折可能な幅狭の連結部で連結し、この連結部を折り曲げて破断することで配線窓を形成する構造である。尚、連結部は、可折を容易にするための薄肉部５２を設けている。又、この配線窓の形状及び大きさは自由に設定すればよいが、予備配線スペースであるので、あまり大きくする必要はなく、幅３０ミリで高さ１５ミリ程度あれば充分である。尚、配線窓蓋２６を切り取る箇所に前記した緩衝部材２４が存在している場合には、この緩衝部材２４も一緒に取ればよい。この他、以上のパネルブロック１０や溝蓋１２は鋼板で製作すれば、防火仕様のものをプレス加工で生産性の高いものが得られる。特に、起立壁２０等は、載置床２２の一部を切り起こすことで形成できる。
【００１２】
図４は溝蓋１２の斜視図であるが、溝蓋１２は、水平壁２８とこれから垂下する立壁３０とを有するものである。尚、立壁３０は、溝蓋１２の長手方向側の両端に形成されるものであり、後述する中央蓋と連結する場合には短手方向の両端には短い低段部３２が形成される。水平壁２８の幅は、配線溝をカバーでき、溝の中に配線器具等を取り付けることも考慮して５０〜１００ミリ程度が適する。立壁３０の高さは、溝蓋１２全体の強度を考慮して１０ミリ程度からパネルブロック１０の厚みの半分程度までの範囲に設定されるとともに、水平壁２８と起立壁２０との干渉を避ける観点から起立壁２０よりも２〜３ミリ程度長いものとなる。このとき、上面１４と水平壁２８との上面は面一な状態としている。これにより、立壁３０と挟着部１８とは充分深く、しかも、強い挟圧力で嵌合連結されるから、少々の振動では外れたりしない。
【００１３】
溝蓋１２の長さは、パネルブロック１０の１辺と同じ長さにするのが通常であるが、それ以上或いはそれ以下であってもよい。但し、この場合は、間にパネルブロック１０の１辺に相当する空間ができるから、これを埋めるためにパネルブロック１０の１辺と同じ長さのものも必要である。溝蓋１２は、パネルブロック１０に馴染ませる必要があるため、これを可能にするスリ割り３４を１００〜１５０ミリの間隔で入れるのが好ましい。このスリ割り３４は、少なくとも、両方の立壁３０の下端から始まり、水平壁２８の一部にかかる程度までは延ばし、必要により多少の折り曲げを可能にする必要がある。このようにすれば、溝蓋１２の長さは５００ミリ位あってもよい。
【００１４】
図５は以上のパネルブロック１０と溝蓋１２とを用いてフリーアクセスフロアを構成した場合の平面図であるが、このときの敷設方法は、パネルブロック１０の挟着部１８に溝蓋１２の立壁３０を迎入し、挟着部１８のＵ字溝で立壁３０を挟圧して保持するのである。従って、パネルブロック１０と溝蓋１２とは相互に位置規制され、振動があっても位置ずれや外れが防止される。更に、溝蓋１２の据わりも良くなり、ガタツキ音を発生させない。尚、この場合、溝蓋１２の立壁３０に緩衝材３６を嵌着し、緩衝材３６を挟着部１８で強く挟圧するとすれば（図１）、外れ防止、ガタツキ音の抑制に一層効果的である。
【００１５】
ところで、溝蓋１２の長さをパネルブロック１０の長さと同じものにした場合、そのコーナー部には正方形の空間ができる。従って、この部分には中央蓋３８を被せる。図６はこの部分を示す断面図であるが、中央蓋３８の端部を溝蓋１２の前記した低段部３２に載置し、基礎床面上に固定された支持台４０に上から固定具４２を通して固定したものである。こうすることにより、全体が強固に連結され、耐振性が増す。尚、支持台４０は、アルミダイキャスト等で製作し、基礎床面に両面接着テープ等で止め付ければよい。固定具４２の締付けは、本例ではネジ式によるものを示したが、締着操作の早いカム式のものも考えられる。
【００１６】
図６では前記した緩衝材３６の他の例のものも示している。即ち、本例の緩衝材６０は起立壁２０の上部までも覆うものであり、これによって起立壁２０の上部も溝蓋１２を載置する載置床となるようにしたものである。この意味から、起立壁２０の上部はある程度の幅がある方がより安定した状態となる。図７は中央蓋３８と溝蓋１２との関係を示す他の例の断面図であるが、低段部３２に代えて溝蓋１２にＵ字溝４４を形成し、中央蓋３８にこのＵ字溝４４に嵌入する立壁４６を設けたものであり、連結を一層強固にしたものである。
【００１７】
以上の敷設が完了すると、溝蓋１２の下方の溝を利用して配線することになるが、このとき、配線がパネルブロック１０の載置床２２の上に載っていると、溝蓋１２の設置の際に配線を傷付けるおそれがある。これを防ぐため、溝蓋１２の下方空間にチャンネルのような配線ガード（図示省略）を置くこともある。しかし、このようなものを設けなくても、挟着部１０の起立壁２０が配線を正規な状態に導く案内の役割を果たすとともに、充分な配線ガードの役割を果たす。
【００１８】
図１１はパネルブロック１０、溝蓋１２及び中央蓋３８の態様が以上と若干異なる例の斜視図であるが、以下にその特徴を記す。まず、パネルブロック１０の起立壁２０に切欠部８０を設けるとともに、溝蓋１２の対応個所に突出部８２を設け、両者を嵌合させる構造をとっている。溝蓋１２の長手方向の位置規制を行なうためである。又、両者の適所にそれぞれ合いマーク８４を刻設し、溝蓋１２の設置の目安としている。更に、パネルブロック１０の裏面には補強板８６をカシメ、スポット溶接等の手段で一体化している（図１２）。この場合、パネルブロック１０の裏面に凸部８８を設け、これを補強板８６に設けた孔に嵌合させることで相互を位置決めしている。このような補強板８６を設けることで、パネルブロック１０の板厚を薄くすることができる。
【００１９】
パネルブロック１０の側壁１６の中央は内側、即ち、中央側に凹ませて凹部１７としている。この凹ましの量は、側壁１６の位置がパネルブロック１０の上面１４の外端の位置かそれよりも中央側に入り込む位置にくるようにしている。こうすることで、上方からの荷重に対して側壁１６は外方へ開こうとするのに抵抗し、結果、側壁１６の外方への開きが防止される。又、側壁１６の切れ目はコーナー部に設けるのではなく、位置をずらせている。図１８はこの状態を示すパネルブロック１０の要部平面図であるが、一方の側壁１６はコーナーを越すまで延長して直角に曲げ、他方の側壁１６は一方の側壁１６の手前から直角に曲げ、両端部とも上面１４の外端かそれよりも中央側に入り込ませている。前記した凹部１７と同様、上方からの荷重に対して側壁１６の下端が外方に口を開くことを防止するためである。この他、側壁１６のコーナー部には、後述する固定具兼用中央蓋（以下、固定具という）９０が挿入される開口部９２が形成されている。又、側壁１６のコーナー部には下端に緩衝部材２４が履かされるのは前例と同じであるが、本例では、図１２に示すように、緩衝部材２４の内側を上方に延長させて載置床２２の下面を受けている。又、補強板８６にも緩衝部材２４を履かすが、このとき、補強板８６の上面の縁を所々下方に折り曲げて低段部８７とし、緩衝部材２４を上方に延長して低段部８７の下面を受けるようにしている。緩衝部材２４にかかる単位面積当たりの荷重を減らし、そのへたり等を最小限に抑えるためである。更に、この場合、緩衝部材２４に凸部を形成し、これを側壁１６に設けた孔に嵌合すると（図示省略）、両者の一体化がより強固になる。
【００２０】
次に、溝蓋１２の長辺の適所には、小配線を賄うことができる切欠部９４と、スリット等９６で折曲可能に設けられ、下方に折曲又は切除する等して通常配線を賄うことができる覆蓋部９８とを設けている。又、本例における溝蓋１２の立壁３０の一方は端まで存在させている。端まで存在していないと、端部に荷重がかかったときに浮き上がるが、端まで存在させることによって荷重を端の方でも受け、結果、浮き上がりが防止できる。溝蓋１２の端部に設けられる低段部３２は、固定具９０との関係で略円弧状に形成される。そして、低段部３２に端辺と平行にスリット１００を入れ、これよりも端側を撓み部１０２としている。尚、撓み部１０２は低部１０２ａ、中部１０２ｂ、高部１０２ｃと高さが一定の順序で異なる段に形成されるが、その理由については後述する。
【００２１】
固定具９０は、溝蓋１２の低段部３２の上に載置される略円形をしたものであり、円周上にパネルブロック１０に形成された開口部９２に回動して入り込む係止片１０４を四個有しているものである。図１３は固定具９０、パネルブロック１０及び溝蓋１２の関係を示す平面図、図１４は図１３のＡーＡ拡大断面図であるが、固定具９０を溝蓋１２の低段部３２の上に置き、これを回動すると、係止片１０４は開口部９２の中に入り込み、パネルプロック１０と溝蓋１２とを上下から挟圧して一体化する。このため、上面の中心線上の二個所に孔１０６をあけ、ここに専用工具を差し込んで回動させるようにする。又、中心部にも凹溝１０８等を形成し、ここには別の固定具９０の外周が差し込めるようにしておけば固定具９０自身で締付けができる。
【００２２】
図１５は固定具９０と溝蓋１２の低段部３２との接触の状態を示す展開断面図であるが、溝蓋１２の低段部３２に形成された撓み部１０２と接触する固定具９０には突起１１０を形成し、固定具９０の締付け回動に伴って突起１１０が撓み部１０２の低段部１０２ａ→高段部１０２ｃ→中段部１０２ｂと摺接するように形成しておく。この間、撓み部１０２は高段部１０２ｃでは大きく変形し、中段部１０２ｂでは手頃に変形するから、高段部１０２ｃによって固定具９０の緩み止めが図られるとともに、中段部１０２ｂで完全にロックされる。尚、締付け完了位置を示す溝蓋１２と固定具９０との間に適当な合いマーク１１２等を設けておけば、締付け位置が確認できる。この場合、固定具９０の係止片１０４は上下に相当長く形成されているから、ロックする前の仮載置時における衝撃等に基づく浮き上がりによる外れ等を防止するとともに、強度アップにも貢献している。この他、図示は省略するが、固定具９０の中心に孔をあけ、ここにアップコンセント等を設置することもある。又、これに代えて固定具９０を設けないで、ここに直接アップコンセント等を設置することもある。
【００２３】
パネルユニットを適当な樹脂シート等に置設してパネルブロック１０に形成することは前述したが、こうすると、樹脂シート等がパネルブロック１０の補強材や緩衝材を兼用することになる。図１６はこれを示す斜視図、図１７は図１６のＢーＢ断面図であるが、本例のものは、四枚のパネルブロック（正確にはパネルユニットというべきであるが、パネルブロックとほとんど同じ構造、形状をしているため、パネルブロックと称する。これに伴って溝蓋及び固定具該当部材も同様な呼び方をする）１０と四枚の溝蓋１２を置いて一つのパネルブロック１０とする樹脂シート１１４であるが、各々のパネルブロック１０の四辺の縁に該当する個所に中央に一個、両側に二個の矩形突起１１６が形成されている。これに対してパネルブロック１０は前記したパネルブロック１０とサイズは小さいもののほぼ同じ形状をしており、起立壁２０を切り起こした挟着部１８等に孔１１８があけられている点を始めとして二三の点で違っているのみである。
【００２４】
前記した矩形突起１１６はこの孔１１８に挿入してパネルブロック１０の位置決め等を図るのであるが（従って、パネルブロック１０の側壁１６の中央は内側に凹ませていない）、このとき、矩形突起１１６の上面に凹溝１２０を形成し、この凹溝１２０に溝蓋１２の立壁３０を挿入するようにして矩形突起１１６で緩衝材３６を兼用している。尚、矩形突起１１６のうち、端側にあるものはコーナー側を低段としており、低段部でパネルブロック１０の上面１４の裏面の平らな部分を支えるようにして支持の強化を図っている。更に、樹脂シート１１４には適宜な間隔で円柱突起１２２を形成しており、この円柱突起１２２でパネルブロック１０の上面１４の裏面を支えるようにして上面１４の垂れを防止している。尚、溝蓋１２や固定具９０の構造は前記と同じである。このようにすることで、パネルブロック１０の上方は溝蓋１２と連係（スクラム）され、下方の樹脂シート１１４による連結と相まって、結局、両者は連結されたものとなり、モジュールとして取り扱うことができ、取扱性が向上する。
【００２５】
図８は更に他の例を示すパネルブロック１０の平面図、図９はパネルブロック１０を構成するパネルユニット１０ａの平面図、図１０は側面図であるが、本例のものは、複数（四枚のものを示したが、これに限定されない）のパネルユニット１０ａを集積して一つのパネルブロック１０としているものである。この場合、各パネルユニット１０ａは、位置がずれたりしないよう、相互に連結（結合）されるのが条件であるから、その側壁１６ａにＬ字形の係合突起７０を切り起こしておき、この係合突起７０同士を噛み合わせるようにしている。このような係合突起７０は、このパネルユニット１０ａを単独でパネルブロック１０とした場合も溝蓋１２との係合を邪魔しないから、このパネルユニット１０ａは単独でも集積してもパネルブロック１０となり得るものである。これに対してパネルユニット１０ａとパネルブロック１０とは、その大きさ及び形状が異なるものであってもよい。係合突起７０は、一側壁１６ａに二つ形成されるのが適当であるが、その場合、ある側壁１６ａのものを内向きに設定したとすると、隣の側壁１６ａのものは外向きにしてすべてのパネルユニット１０ａ同士が噛み合えるようにしている。この他、パネルユニット１０ａの正面１４ａのコーナー等には孔７２を形成しておき、着脱に際して持ち上げたりするときに、ここに工具等が差し込めるようにしておく。
【００２６】
配線用の溝は、パネルブロック１０の間に形成されるが、それには、このようにパネルユニット１０ａを集積して構成したパネルブロック１０同士の間に形成してもよいし、このパネルブロック１０とパネルユニット１０ａ単独からなる単一構成のパネルブロック１０との間に形成してもよい。但し、形成された溝を塞ぐ溝蓋１２はパネルブロック１０の寸法に合わせたものにする必要がある。このようにすることで、パネルブロック１０に対する溝の面積割合を変更できるから、配線量に応じた配線空間を設定できるという優れた効果を発揮する。
【００２７】
更に、この構成を展開して行くと、溝をパネルユニット１０ａ又はパネルブロック１０の下方空間に設定し、溝蓋をパネルユニット１０ａ又はパネルブロック１０そのもので代用できる。即ち、床全体をパネルユニット１０ａ又はパネルブロック１０としておき（溝を確保しない）、配線したい個所に存在するパネルユニット１０ａの配線窓蓋２６を切除して（この目的に使用することがわかっているパネルユニット１０ａには予め配線窓蓋２６に代えて配線孔を形成しておいてもよい）その下方空間に配線を這わすのである。このようにしたとしても、各パネルユニット１０ａはその係合突起７０で相互に連結されているから、位置ずれ等は起こさない。こうすることで、溝蓋が不要になるとともに、敷設に際して溝を確保する手間が省けるから、部品点数を減らしてコストが低減でき、且つ、施工も容易になる。
【００２８】
【発明の効果】
以上、本発明は、前記したものであるから、即ち、溝蓋の立壁はパネルブロックの挟着部で挟圧保持されるから、ガタツキ音が発生しないし、地震等の振動があっても外れ難い。又、パネルブロックと溝蓋とは互に連結されて位置規制されるから、相互の位置ずれがない。更に、両者の位置決めも果たされるから、墨出し等を行なってパネルブロックだけを先に敷設する必要はなく、パネルブロック、溝蓋と順次敷設して行け、施工の能率が上がる。
【図面の簡単な説明】
【図１】  本発明の実施の態様を示すパネルブロックと溝蓋の敷設状態の一部断面図である。
【図２】  本発明の実施の態様を示すパネルブロックの斜視図である。
【図３】  本発明の実施の態様を示すパネルブロックの正面図である。
【図４】  本発明の実施の態様を示す溝蓋の斜視図である。
【図５】  本発明の実施の態様を示すフリーアクセスフロアの敷設状態の平面図である。
【図６】  本発明の実施の態様を示す中央蓋と溝蓋の敷設状態の一部断面図である。
【図７】  本発明の実施の態様を示す中央蓋と溝蓋の敷設状態の一部断面図である。
【図８】  本発明の実施の態様を示すパネルブロックの平面図である。
【図９】  本発明の実施の態様を示すパネルブロックを構成するパネルユニットの平面図である。
【図１０】  本発明の実施の態様を示すパネルブロックを構成するパネルユニットの平面図である。
【図１１】  本発明の実施の態様を示すパネルブロック、溝蓋及び固定具兼用中央蓋の敷設状態を示す斜視図である。
【図１２】  本発明の実施の態様を示すパネルブロックの断面図である。
【図１３】  本発明の実施の態様を示すパネルブロック、溝蓋及び固定具兼用中央蓋の関係を示す平面図である。
【図１４】  図１３のＡーＡ拡大断面図である。
【図１５】  本発明の実施の態様を示す固定具兼用中央蓋と溝蓋との関係を示す展開断面図である。
【図１６】  本発明の実施の態様を示すパネルブロック、溝蓋及び固定具兼用中央蓋の敷設状態を示す斜視図である。
【図１７】  図１６のＢーＢ断面図である。
【図１８】  本発明の実施の態様を示すパネルブロックのコーナー部の要部平面図である。
【符号の説明】
１０  パネルブロック
１０ａパネルユニット
１２  溝蓋
１４  パネルブロックの上面
１６  パネルブロックの側壁
１６ａパネルユニットの側壁
１７  凹部
１８  挟着部
２０  起立壁
２６  配線窓蓋
２８  溝蓋の水平壁
３０  溝蓋の立壁
３２  溝蓋の低段部
３６  緩衝材
７０  係合突起
９０  固定具兼用中央蓋
９２  開口部
１０２  撓み部
１０４  係止片
１０８  凹溝
１１０  突起
１１４  樹脂シート
１１６  矩形突起
１１８  孔
１２０  凹溝
【図１】
0003638679.tif 000002
【図２】
0003638679.tif 000003
【図３】
0003638679.tif 000004
【図４】
0003638679.tif 000005
【図５】
0003638679.tif 000006
【図６】
0003638679.tif 000007
【図７】
0003638679.tif 000008
【図８】
0003638679.tif 000009
【図９】
0003638679.tif 000010
【図１０】
0003638679.tif 000011
【図１１】
0003638679.tif 000012
【図１２】
0003638679.tif 000013
【図１３】
0003638679.tif 000014
【図１４】
0003638679.tif 000015
【図１５】
0003638679.tif 000016
【図１６】
0003638679.tif 000017
【図１７】
0003638679.tif 000018
【図１８】
0003638679.tif 000019